(57)【要約】【課題】孔あけ加工に必要な複数の機能、すなわち、孔あけ機能、孔拡大機能、孔の表面側の面取り又はバリ取り機能、及び、孔の裏面側の面取り又はバリ取り機能を１つの切削工具で実現すると共に、孔の内面形状を滑らかな円筒状にすることができる切削工具を提供すること。【解決手段】本発明の切削工具は、ドリル機能と、孔拡大機能と、表面バリ取り又は面取り機能と、裏面バリ取り又は面取り機能と、を有し、孔拡大機能のための専用の孔拡大切刃（２６，３１）が設けられていることを特徴とする。【選択図】図１
2018199179.tif 000002
【特許請求の範囲】
【請求項１】
ドリル機能と、
孔拡大機能と、
表面バリ取り又は面取り機能と、
裏面バリ取り又は面取り機能と、を有し、
孔拡大機能のための専用の孔拡大切刃が設けられていることを特徴とする切削工具。
【請求項２】
前記ドリル機能のためのドリル切刃と、
前記表面バリ取り又は面取り機能のための表面用切刃と、
前記裏面バリ取り又は面取り機能のための裏面用切刃と、
がさらに設けられており、
前記ドリル切刃、前記裏面用切刃、前記孔拡大切刃及び前記表面用切刃はそれぞれ１個又は複数個設けられていることを特徴とする請求項１に記載の切削工具。
【請求項３】
前記ドリル切刃と、
前記孔拡大切刃と、
前記表面用切刃と、
前記裏面用切刃と、
は互いに独立した機能を有することを特徴とする請求項２に記載の切削工具。
【請求項４】
前記切削工具の先端から順に、
前記ドリル切刃、
前記裏面用切刃、
前記孔拡大切刃及び
前記表面用切刃
が備えられていることを特徴とする請求項２又は３に記載の切削工具。
【請求項５】
前記ドリル切刃と、前記裏面用切刃との間に外径部がさらに設けられていることを特徴とする請求項４に記載の切削工具。
【請求項６】
前記表面用切刃は、前記切削工具の回転方向にねじれた溝に沿って設けられていることを特徴とする請求項２〜５のいずれか１項に記載の切削工具。
【請求項７】
前記切削工具の回転方向にねじれた溝が、前記表面用切刃と前記孔拡大切刃と前記ドリル切刃とに沿って連続して一体に設けられていることを特徴とする請求項２〜６のいずれか１項に記載の切削工具。
【請求項８】
前記裏面用切刃は、前記切削工具の回転方向と逆方向にねじれた溝に沿って設けられていることを特徴とする請求項２〜７のいずれか１項に記載の切削工具。
【請求項９】
前記孔拡大切刃と、前記表面用切刃とは被加工物に同時に当てられるように配置されていることを特徴とする請求項２〜８のいずれか１項に記載の切削工具。
【請求項１０】
前記孔拡大切刃と、前記裏面用切刃とは被加工物に同時に当てられるように配置されていることを特徴とする請求項２〜８のいずれか１項に記載の切削工具。
【請求項１１】
前記孔拡大切刃と、前記表面用切刃と、前記裏面用切刃とは被加工物に同時に当てられるように配置されていることを特徴とする請求項２〜１０のいずれか１項に記載の切削工具。
【請求項１２】
前記孔拡大切刃は荒引き切刃及び仕上切刃からなることを特徴とする請求項１〜１０のいずれか１項に記載の切削工具。
【請求項１３】
前記ドリル切刃と、前記表面用切刃とは共通であることを特徴とする請求項２に記載の切削工具。
【請求項１４】
請求項１〜１３のいずれか１項に記載の前記切削工具を備えたことを特徴とする切削装置。
【発明の詳細な説明】
【技術分野】
【０００１】
本発明は、被加工物に穴をあけると共に裏面と表面の面取りやバリ取り等の加工をスムーズに且つ正確に行うことができる切削工具、及びこの切削工具を備えた切削装置に関する。
【背景技術】
【０００２】
従来、金属製の被加工物に孔あけ加工するために、ドリルやエンドミル等の切削工具が用いられている。また、これらの切削工具は、ボール盤やＮＣ（Numerical Control）旋盤、マシニングセンタ等の切削装置に取り付けられて使用されている。これらの切削工具を用いて被加工物に孔あけするときには、被加工物の一方の面、例えば旋盤に載置された状態の表側の面から切削を行い、切削工具が被加工物の他方の面、例えば、裏側の面まで切削工具を貫通させることで行なわれる。また、貫通させた孔を広げるように切削することもある。
【０００３】
このとき、被加工物の裏面の孔から切削工具が突き抜ける際や、貫通させた孔を広げるように切削する際に、孔の周囲にバリができることがあるため、このバリを除去する必要がある。また、形成された穴の回りは、角が立っており、作業者や使用者が触れると怪我をしたり、他の部品が損傷したりするおそれがあるため、この角を滑らかにするように面取りが行われる。このように、孔あけ加工を行なう場合、被加工物の裏側の加工を行なうことが必要となるが、被加工物を一つ一つ裏返して再度加工することは手間がかかり、作業性が悪くなる。また、円筒等の被加工物は裏側から切削工具が入らず、加工は出来なかった。また、更に孔あけをするときの表面の穴の回りにはバリ、角が立つこともあった。したがって、被加工物に孔あけ加工を行う際には、ドリル等を被加工物の裏側の面まで貫通させる工程、貫通させた孔を所望の大きさまで広げる工程、表側の面のバリ取り又は面取りを行う工程、裏側の面のバリ取り又は面取りを行う工程がある。このため、複数の切削工具が必要となるが、各工程における工程において共通に利用できる切削工具を用いて、工具を交換する回数をできる限り少なくすることが望まれている。
【０００４】
下記特許文献１には、一本のドリルで孔あけ機能、孔拡大機能、孔の表面側の面取り機能、及び、孔の裏面側の面取り機能を有するドリルの発明が開示されている。このドリルの発明によれば、棒状ドリル及び錐形ドリルで被加工物に孔をあけ、さらに径大錐形ドリルで孔の径を拡大することができる。孔の表面側の面取りには径大錐形ドリルを用い、孔の裏面側の面取りは逆錐形ドリルを用いることができる。また、広げた孔の内面に沿うようにドリルを移動させながら、被加工物の孔の表面側に径大錐形ドリルを当てると同時に、被加工物の孔の裏面側に逆錐形ドリルを当てることにより、孔の表面側の面取り加工と孔の裏面側の面取り加工とを同時に行うことができる。
【０００５】
下記特許文献２には、一本のドリルで孔あけ機能、表面の面取り機能及び裏面の面取り機能を有する両面取りドリルの発明が開示されている。下記特許文献２に開示された両面取りドリルの発明では、シャンクと連接するドリルボディと、前記ドリルボディの先端部に切刃とを有し、且つ前記シャンクの一部分とドリルボディと切刃にかけ、且軸線と平行状に切欠する逃げ溝とを有し、前記切刃を構成する傾斜角度が９０度前後の前方ドリル刃をドリルの先端から緩やかに傾斜するように形成し、前記前方ドリル刃の上方に外径刃を形成し、前記外径刃より前記ドリルボディにかけてやや急角度をもって傾斜する前記外径刃に対し４５度前後の面取り刃を形成せしめた両面取りドリルにおいて、前記外径刃が、一方の逃げ溝から他方の逃げ溝にかけて、最初の幅員が極端に狭く漸次広くなるように形成されている。下記特許文献２に開示された両面取りドリルの発明によれば、前方ドリル刃と外径刃と共に、穴開け作業と、被切削物の面取り作業と、裏面の面取り作業及び側面部の面取り作業の４つの作業を同時に処理できる。
【０００６】
下記特許文献３には、１つの切削工具で孔の表面側の面取り又はバリ取り機能と孔の裏面側の面取り又はバリ取り機能とを有する切削工具の発明が開示されている。下記特許文献３の切削工具は、刃部の首部側には切削工具の回転方向に対して反対の向きにねじれた第１溝と、この第１溝に沿った刃部の外周側に第１切刃とからなる第１切削部を有し、かつ、刃部の先端側には切削工具の回転する方向にねじれた第２溝と、この第２溝に沿った刃部の外周側に第２切刃とからなる第２切削部を有している。この切削工具では、孔に刃部を貫通させ、第１切削部を孔の裏面側に当てることにより、第１切削部により孔の裏面側の面取り又はバリ取りを行う。この時、第１切削部は切削工具の回転方向に対して反対の向きにねじれた第１溝と、この第１溝に沿った刃部の外周側に第１切刃とを有しているため、切削した屑は孔の裏面側に排出される。一方、第２切削部を孔の表面側に当てることにより、第２切削部により孔の表面の面取り又はバリ取りを行う。この時、第２切削部は切削工具の回転する方向にねじれた第２溝と、この第２溝に沿った刃部の外周側に第２切刃とを有しているため、切削した屑は孔の表面側に排出される。これにより、表面のバリ取りを行う際には切削した屑を孔の表面側に排出することができ、裏面のバリ取りを行う際には切削した屑を孔の裏面側に排出することができるため、切削した屑が被加工物の孔から確実に排出され、被加工物の孔の表面側及び裏面側の面取りやバリ取りを円滑に行うことができる。
【先行技術文献】
【特許文献】
【０００７】
【特許文献１】実公昭５１−０１９２６８号公報
【特許文献２】特開２０００−２８８８１３号公報
【特許文献３】特開２０１６−１１２６３４号公報
【発明の概要】
【発明が解決しようとする課題】
【０００８】
上記特許文献１に開示されたドリルの発明では、孔あけ、孔の拡大、孔の表面側及び裏面側の面取りが１つの切削工具で可能である。しかしながら、孔を拡大する工程では径大錐形ドリルを被加工物に対して垂直方向に移動させながら切削するため、孔の形状は平面視で円形状に限定されている。また、大きい錐形ドリル及び逆錐形ドリルの形状は錐形状であるため、孔の立体形状は錐形に限定されてしまい、孔の内径形状を滑らかな円筒形に加工することができない。さらに、径大錐形ドリルは孔の拡大と面取りに共通に使用されているが、孔の拡大のためには切刃をある程度荒引に設定する必要があり、一方、面取り仕上げに用いるためには切刃を仕上げ用に設定する必要がある。このため、共通に利用するためには大きい錐形ドリルの切刃の設定が難しく、両方に最適な設定は極めて困難である。
【０００９】
上記特許文献２に開示された両面取りドリルの発明では、孔あけと孔の表面側及び裏面側の面取りとが可能である。しかしながら、孔の径はドリルの直径に依存してしまい、１つの切削工具では１通りの径の穴しか開けることができない。また、ドリル部分でバリ取りを行うので、例えば削り過ぎが発生する恐れがあり、仕上げ加工には不向きである。さらに、孔の裏面側の面取りを行なう面取り刃はドリルの軸線に対して略垂直に形成されている。このように、略垂直に形成された面取り刃で面取りを行なうと、被加工物の加工を行なう部分に垂直にあてて切削を行なうため、切削する部分に直角方向から大きな力がかかり、被加工物を損傷するおそれがある。また、バリ取りに用いた場合、バリが取られる際に略真横に引っ張られ、新たなバリが発生するおそれもあるため、バリ取り加工を円滑に行うことができない。
【００１０】
上記特許文献３に開示された切削工具では孔の表面側及び裏面側の面取り又はバリ取り加工を円滑に行うことができるが、この切削工具では孔あけや孔を拡大する機能有していない。
【００１１】
本発明の目的は、孔あけ加工に必要な複数の機能、すなわち、孔あけ機能、孔拡大機能、孔の表面側の面取り又はバリ取り機能、及び、孔の裏面側の面取り又はバリ取り機能を１つの切削工具で実現すると共に、孔の内面形状を滑らかな円筒状にすることができる切削工具を提供することにある。
【００１２】
本発明の他の目的は、面取り又はバリ取りを円滑に行うことができる切削工具を提供することにある。
【００１３】
本発明の他の目的は、孔の拡大と、面取り又はバリ取りとを同時に行うことが可能な切削工具を提供することにある。
【００１４】
本発明の他の目的は、孔の拡大を円滑に行うことが可能な切削工具を提供することにある。
【００１５】
本発明の他の目的は、前記切削工具を備えた切削装置を提供することにある。
【課題を解決するための手段】
【００１６】
本発明の上記目的は、以下の構成によって達成できる。すなわち、本発明の第１の態様の切削工具は、ドリル機能と、孔拡大機能と、表面バリ取り又は面取り機能と、裏面バリ取り又は面取り機能と、を有し、孔拡大機能のための専用の孔拡大切刃が設けられていることを特徴とする。
【００１７】
本発明の第２の態様の切削工具は、第１の態様の切削工具において、前記ドリル機能のためのドリル切刃と、前記表面バリ取り又は面取り機能のための表面用切刃と、前記裏面バリ取り又は面取り機能のための裏面用切刃と、がさらに設けられており、前記ドリル切刃、前記裏面用切刃、前記孔拡大切刃及び前記表面用切刃はそれぞれ１個又は複数個設けられていることを特徴とする。
【００１８】
本発明の第３の態様の切削工具は、第２の態様の切削工具において、前記ドリル切刃と、
前記孔拡大切刃と、前記表面用切刃と、前記裏面用切刃と、は互いに独立した機能を有することを特徴とする。
【００１９】
本発明の第４の態様の切削工具は、第２又は第３の態様の切削工具において、前記切削工具の先端から順に、前記ドリル切刃、前記裏面用切刃、前記孔拡大切刃及び前記表面用切刃が備えられていることを特徴とする。
【００２０】
本発明の第５の態様の切削工具は、第４の態様の切削工具において、前記ドリル切刃と、前記裏面用切刃との間に外径部がさらに設けられていることを特徴とする。
【００２１】
本発明の第６の態様の切削工具は、第２〜５のいずれかの態様の切削工具において、前記表面用切刃は、前記切削工具の回転方向にねじれた溝に沿って設けられていることを特徴とする。
【００２２】
本発明の第７の態様の切削工具は、第２〜６のいずれかの態様の切削工具において、前記切削工具の回転方向にねじれた溝は、前記表面用切刃と前記孔拡大切刃と前記ドリル切刃とに沿って連続して一体に設けられていることを特徴とする。
【００２３】
本発明の第８の態様の切削工具は、第２〜７のいずれかの態様の切削工具において、前記裏面用切刃は、前記切削工具の回転方向と逆方向にねじれた溝に沿って設けられていることを特徴とする。
【００２４】
本発明の第９の態様の切削工具は、第２〜８のいずれかの態様の切削工具において、前記孔拡大切刃と、前記表面用切刃とは被加工物に同時に当てられるように配置されていることを特徴とする。
【００２５】
本発明の第１０の態様の切削工具は、第２〜８のいずれかの態様の切削工具において、前記孔拡大切刃と、前記裏面用切刃とは被加工物に同時に当てられるように配置されていることを特徴とする。
【００２６】
本発明の第１１の態様の切削工具は、第２〜１０のいずれかの態様の切削工具において、前記孔拡大切刃と、前記表面用切刃と、前記裏面用切刃とは被加工物に同時に当てられるように配置されていることを特徴とする。
【００２７】
本発明の第１２の態様の切削工具は、第１〜１０のいずれかの態様の切削工具において、前記孔拡大切刃は荒引き切刃及び仕上切刃からなることを特徴とする。
【００２８】
本発明の第１３の態様の切削工具は、第２の態様の切削工具において、前記ドリル切刃と、前記表面用切刃とは共通であることを特徴とする。
【００２９】
本発明の第１４の態様の切削装置は、第１〜１３のいずれかの態様の前記切削工具を備えたことを特徴とする。
【発明の効果】
【００３０】
本発明の第１の態様の切削工具によれば、孔あけ加工に必要な複数の機能、すなわち、孔あけ機能、孔拡大機能、孔の表面側の面取り又はバリ取り機能、及び、孔の裏面側の面取り又はバリ取り機能を１つの切削工具で実現すると共に、孔の内面形状を滑らかな円筒状にすることができる切削工具を提供することができる。
【００３１】
本発明の第２の態様の切削工具によれば、孔あけ機能、孔拡大機能、孔の表面側の面取り又はバリ取り機能、及び、孔の裏面側の面取り又はバリ取り機能を有する切刃を備えた切削工具を提供することができる。また、各切刃の数は1個とすることも複数個とすることもできる。
【００３２】
本発明の第３の態様の切削工具によれば、孔あけ機能、孔拡大機能、孔の表面側の面取り又はバリ取り機能、及び、孔の裏面側の面取り又はバリ取り機能の各機能のための独立した切刃を備えた切削工具を提供することができる。これにより、切削工具が各機能に専用の切刃を備えるため、各機能に対して最適な切刃を設定することができる。
【００３３】
本発明の第４の態様の切削工具によれば、切削工具を縦方向に移動させることにより各機能を選択することができる。
【００３４】
本発明の第５の態様の切削工具によれば、ドリル切刃と裏面用切刃との間に外径部をさらに設けることにより、孔あけ加工をより円滑にすることができる。
【００３５】
本発明の第６の態様の切削工具によれば、表面用切刃は、切削工具の回転方向にねじれた溝に沿って設けられているため、切削した屑が孔の表面側に排出されることにより、孔の表面のバリ取り又は面取りを円滑に行うことができる。
【００３６】
本発明の第７の態様の切削工具によれば、切削工具の回転方向にねじれた溝は、表面用切刃と孔拡大切刃とドリル切刃とに沿って連続して一体に設けられているため、表面用切刃と孔拡大切刃とドリル切刃裏面用切刃とによって切削された屑が孔の表面側に排出されることにより、孔の切削加工を円滑に行うことができる。
【００３７】
本発明の第８の態様の切削工具によれば、裏面用切刃は、切削工具の回転方向と逆方向にねじれた溝に沿って設けられているため、切削した屑が孔の裏面側に排出されることにより、孔の裏面のバリ取り又は面取りを円滑に行うことができる。
【００３８】
本発明の第９の態様の切削工具によれば、孔を拡大する加工と、表面バリ取り又は面取り加工とを同時に行うことができるため、加工の工数を省略できると共に、加工にかかる時間を短縮することができる。
【００３９】
本発明の第１０の態様の切削工具によれば、孔を拡大する加工と、裏面バリ取り又は面取り加工とを同時に行うことができるため、加工の工数を省略できると共に、加工にかかる時間を短縮することができる。
【００４０】
本発明の第１１の態様の切削工具によれば、孔を拡大する加工と、表面バリ取り又は面取り加工と、裏面バリ取り又は面取り加工とを同時に行うことができるため、加工の工数を省略できると共に、加工にかかる時間を短縮することができる。
【００４１】
本発明の第１２の態様の切削工具によれば、孔拡大切刃として、荒引き切刃及び仕上切刃を有するため、荒引き切刃により孔を拡大する加工を迅速に行うと共に、仕上切刃により孔の表面を滑らかに仕上げることが可能である。
【００４２】
本発明の第１３の態様の切削工具によれば、ドリル切刃により、表面用切刃を共用することができる。
【００４３】
本発明の第１４の態様の切削装置によれば、前記切削工具の効果を奏する切削装置を提供することができる。
【図面の簡単な説明】
【００４４】
【図１】切削工具の模式図である。
【図２】切削工具の斜視図である。
【図３】切削工具の側面図である。
【図４】切削工具の正面図である。
【図５】孔あけ加工の初期の状態を示す模式図である。
【図６】孔あけ加工の終了時の状態を示す模式図である。
【図７】孔拡大加工における荒引き工程を示す模式図である。
【図８】孔拡大加工における仕上げ工程を示す模式図である。
【図９】裏面バリ取り又は面取り加工を示す模式図である。
【図１０】表面バリ取り又は面取り加工を示す模式図である。
【図１１】孔拡大加工における荒引き工程と、裏面バリ取り又は面取り加工とを同時に行う場合を示す模式図である。
【図１２】孔拡大加工における仕上げ工程と、表面バリ取り又は面取り加工とを同時に行う場合を示す模式図である。
【図１３】孔拡大加工と、裏面バリ取り又は面取り加工と、表面バリ取り又は面取り加工とを同時に行う場合を示す模式図である。
【図１４】ドリル部により表面バリ取り又は面取り加工を行う場合を示す模式図である。
【発明を実施するための形態】
【００４５】
以下、図面を参照して本発明の実施形態に係る切削工具を説明する。但し、以下に示す実施形態は本発明の技術思想を具体化するための切削工具を例示するものであって、本発明をこれらに特定するものではなく、特許請求の範囲に含まれるその他の実施形態のものにも等しく適用し得るものである。
【００４６】
［第１実施形態］
本発明の第１実施形態に係る切削工具１について、図１〜図１０を参照して説明する。
【００４７】
まず、図１〜図４を用いて、本発明の第１実施形態に係る切削工具１の構成について説明する。なお、図１は切削工具の模式図であり、図２は切削工具の斜視図であり、図３は切削工具の側面図であり、図４は切削工具の正面図である。
【００４８】
＜切削工具１の形状＞
本発明の実施形態に係る切削工具１は、被加工物に孔あけ加工、孔拡大加工、表面バリ取り加工、及び、裏面バリ取り加工を行うものである。被加工物の加工は、切削装置に切削工具１を取り付け、所定のプログラムにより自動で行なわれる。このような切削装置としては、ＮＣ旋盤やマシニングセンタ等があげられる。なお、このような切削装置は公知のものであるので、詳細な説明は省略する。
【００４９】
切削工具１は、先端から順に、ドリル部１０、外径部１５、裏面切削部２０、荒引き切削部２５、仕上げ切削部３０、表面切削部３５、及び、シャンク４０が設けられ、金属製材料により一体に形成されている。シャンク４０は切削装置のチャック装置に固定される部分であり、本実施形態では円筒形状であるが、例えば６角柱などの角柱形状でもよい。本実施形態ではシャンク４０は表面切削部３５の大径側の端部に直接接続されているが、本発明ではこれに限定されず、切削工具の切刃部が小径の場合には、例えば、表面切削部３５の大径側の端部側から、テーパー状に徐々に太くなるようなテーパー部を介して大径のシャンク４０に接続されるような構成としてもよい。
【００５０】
ドリル部１０は先端側が鋭い突起となるような略円錐形状であり、被加工物に所定の径の孔をあけるために用いられる。ドリル部１０の上方（以下、切削工具１について、シャンク４０側を「上方」、ドリル部１０の先端側を「下方」という。）の径は、被加工物にあけられる孔の径と略一致している。ドリル部１０には、複数本のドリル溝１２が切削工具１の回転方向にねじれて形成されている。ドリル溝１２は、本実施形態では、右回転の切削装置を例として説明するので、切削工具１の回転方向は右回転であり、ドリル溝１２がねじれる方向は右方向である。なお、左回転の切削装置を用いる場合には、ドリル溝１２がねじれる方向は左方向とする。また、本実施例では、ドリル溝１２が３個設けられている例を示すが、本発明ではドリル溝１２の個数は３個に限定されるものではなく、１個であっても、３個以外の複数個、例えば２個、４個、５個、６個等であってもよい。各ドリル溝１２の回転方向と反対側にはドリル溝に沿うようにドリル切刃１１（図２〜図４を参照）が設けられている。したがって、ドリル切刃１１もドリル溝１２と同様に切削工具の回転方向にねじれている。
【００５１】
図３に示されるように、各ドリル溝１２は、外径溝１７、荒引き切削溝２７、仕上げ切削溝３２及び表面切削溝３７と連続的に形成されており、それぞれ全体として1個の切削溝２８を構成している。切削溝２８は切削工具１の回転方向にねじれるように、かつ、ドリル溝１２と同じ個数だけ形成されている。ドリル切刃１１及びドリル溝１２が切削工具の回転方向にねじれており、また、ドリル溝１２と連続して形成されている切削溝２８も切削工具１の回転方向にねじれている。このため、ドリル切刃１１による被加工物の削り屑は、被加工物の表面側（図１の上方、ドリル部１０からシャンク４０へ向かう方向。）に排出されるため、円滑に孔あけ加工を行うことができる。
【００５２】
ドリル溝１２の回転方向側には、ドリル溝１２に沿うように、切削工具１の回転方向にねじれたドリル連絡溝１３が形成されている。ドリル連絡溝１３は、切削工具１の回転方向と反対側及び上方で切削溝２８に接続されていると共に、上方では連絡溝２９に接続されている。連絡溝２９は、切削溝２８に対して切削工具１の回転方向に形成されると共に、切削溝２８に沿うように形成されている。連絡溝２９も、切削溝２８と同様に、切削工具１の回転方向にねじれている。ドリル切刃１１による被加工物の削り屑は、切削溝２８を通って、あるいは、一旦ドリル連絡溝１３を介してた後、切削溝２８又は連絡溝２９を通って、上方に排出される。
【００５３】
ドリル部１０を側方から見ると、図１に示されているように略二等辺三角形となり、この二等辺三角形においてドリル部１０の先端である頂点を挟む２つの辺がなす角度θ１は、本実施形態では略９０度とされているが、本発明ではこれに限定されることなく、θ１の角度は例えば３０度〜１５０度の間、好ましくは、６０度〜１２０度の間で適宜決定することができる。また、前記二等辺三角形においてドリル部１０の先端である頂点を挟む２つの辺の一方が切削工具１の軸線となす角θ２は、θ１に応じて決定され、本実施形態ではθ１が略９０であるので、θ２は略４５度である。
【００５４】
本実施形態では、ドリル連絡溝１３を形成したものを説明したが、本発明はこれに限定されるものではなく、本発明にはドリル連絡溝１３をドリル溝１２で兼用したものや、ドリル連絡溝の全部または一部を省略したものも含まれる。
【００５５】
ドリル部１０の上方には、薄い円筒状、あるいは、円板状で、ドリル部１０の上方の径と一致している外径部１５が設けられている。外径部１５の外周は、ドリル部１０があけた穴の内周に摺接するように、滑らかな円弧状となっており、切刃は設けられていない。外径部１５には各ドリル溝１２から連続してドリル溝１２と同じ本数だけ外径溝１７が設けられている。なお、本実施形態では、外径部１５には切刃は設けられていないが、必要に応じて、各外径溝１７の切削工具の回転方向と反対側に、各外径溝１７に沿うように外径切刃を形成してもよい。各外径溝１７は切削溝２８に連続して一体に形成されている。ドリル連絡溝１３は、外径部１５の上方まで伸び、その上方で切削溝２８及び連絡溝２９に接続されている（図３参照）。
【００５６】
各外径溝１７はドリル溝１２から連続して、回転方向にねじれて設けられており、さらに、切削溝２８及び連絡溝２９もまた回転方向にねじれているため、ドリル切刃１１によって削り取られた被加工物の削り屑は、被加工物の表面側、すなわち、上方に排出される。すなわち、ドリル切刃１１によって削り取られた被加工物の削り屑は、切削溝２８を通って、あるいは、一旦ドリル連絡溝１３を介した後、切削溝２８又は連絡溝２９を通って、上方に排出される。
【００５７】
本実施形態では、外径部１５を設けた例を説明したが、本発明はこれに限定するものではなく、例えば、外径部１５を設けずにドリル部１０の上方に直接裏面切削部２０を形成するもの等も含む。外径部１５が設けられていない場合でも、ドリル部１０により、ドリル部１０の上方の径に対応した所定の径の孔をあけることができる。
【００５８】
外径部１５の上方には略逆円錐台形状の裏面切削部２０が設けられている。裏面切削部２０は、被加工物の孔の裏面側のバリ取り又は面取りを行うために用いられる。裏面切削部２０の下方の径は、外径部１５の径と等しく設定されている。裏面切削部には複数の裏面切削溝２２が形成されている。裏面切削溝の個数はドリル溝１２の数と一致しており、本実施形態では３個である。各裏面切削溝２２は切削工具１の回転方向と逆方向にねじれている（図２及び図３を参照）。各裏面切削溝２２の切削工具１の回転方向と反対側には、各裏面切削溝２２に沿うように裏面用切刃２１（図３を参照）が形成されている。被加工物の孔の裏面に裏面切削部２０を当てて被加工物の孔の裏面のバリ取り又は面取りを行う際に、裏面切削溝２２及び裏面用切刃２１は切削工具１の回転方向とは逆方向にねじれているために、裏面用切刃２１で削り取られた被加工物の削り屑は、被加工物の裏面側、すなわち、下方に排出される。これにより、被加工物の孔の裏面側のバリ取り又は面取りを円滑に行うことができる。
【００５９】
本実施例では外径部１５を設けた例で説明したが、外径部１５を設けない場合には、ドリル部１０の上方に直接裏面切削部２０を形成する。この場合、ドリル部１０の上方の径と、裏面切削部２０の下方の径とは一致している。
【００６０】
裏面切削部２０を側方から見ると、図１に示されているように略等脚台形となり、この等脚台形の対向する傾斜する辺の一方と、切削工具１の軸心とのなす角θ３は、本実施形態では略４５度であるが、本発明ではこれに限定されず、例えばθ３は３０度〜６０度の間で適宜決定される。
【００６１】
裏面切削部２０の上方には略円筒形状の荒引き切削部２５が設けられている。荒引き切削部２５は、ドリル部１０であけた孔を拡大する加工に用いられる。荒引き切削部２５は略円筒状であり、荒引き切削部２５の径は裏面切削部２０の上方の径と一致している。荒引き切削部２５には複数の荒引き切削溝２７が形成されている。荒引き切削溝２７の個数はドリル溝の数と一致している。各荒引き切削溝２７は切削溝２８と一体に形成されている。すなわち、各荒引き切削溝２７は下方において外径溝１７を介してドリル溝１２と一体に形成され、また、各荒引き切削溝２７は、上方において仕上げ切削溝３２及び表面切削溝３７と連続して一体に設けられていると共に、切削工具１の回転方向にねじれている。また、各荒引き切削溝２７における切削工具１の回転方向側には、荒引き切削溝２７に沿うように、切削工具１の回転方向にねじれている連絡溝２９（図３を参照）が形成されている。
【００６２】
各荒引き切削溝２７の切削工具１の回転方向と反対方向には、荒引き切削溝２７に沿うように荒引き切刃２６（図２及び図３を参照）が形成されている。荒引き切削溝２７及び荒引き切刃２６は切削工具１の回転方向にねじれているため、荒引き切刃２６によって削り取られた被加工物の削り屑は、被加工物の表面側、すなわち、上方へ排出されることにより、孔を拡大する荒引き加工を円滑に行うことができる。荒引き切刃２６によって削り取られた被加工物の削り屑は、切削溝２８を通って、あるいは、切削溝２８に沿って形成されている連絡溝２９を通って、上方へ排出される。また、荒引き切刃２６は荒めに設定されているため、孔を拡大する加工を迅速に行うことができる。
【００６３】
荒引き切削部２５の上方には、仕上げ切削部３０が設けられている。仕上げ切削部３０はドリル部１０であけた孔を荒引き切削部２５で拡大した後に、孔の内面を滑らかに仕上げる加工に用いられる。仕上げ切削部３０は略円筒状であり、仕上げ切削部３０の径は、荒引き切削部２５の径と略同一である。仕上げ切削部３０には複数の仕上げ切削溝が設けられている。各仕上げ切削溝は切削工具１の回転方向にねじれて、切削溝２８と連続して一体に形成されている。すなわち、各仕上げ切削溝３２の下方には荒引き切削溝２７が連続して形成され、上方には表面切削溝３７が連続して形成されており、全体として連続した切削溝２８を構成している。仕上げ切削溝３２の個数は、荒引き切削溝２７及び表面切削溝３７の個数と一致しており、本実施形態では３個である。各仕上げ切削溝３２に対して切削工具１の回転方向側には、各仕上げ切削溝３２に沿うように連絡溝２９（図３を参照）が設けられており、切削溝２８及び連絡溝２９は、切削工具１の回転方向にねじれるように形成されている。
【００６４】
仕上げ切削溝３２に対して切削工具１の反対方向には、仕上げ切削溝３２に沿うように仕上げ切刃３１（図２及び図３を参照）が形成されている。仕上げ切削溝３２及び仕上げ切刃３１は切削工具１の回転方向にねじれて形成されているため、仕上げ切刃３１で削り取られた被加工物の削り屑は、被加工物の表面側、すなわち、上方に排出されることにより、孔の内面を滑らかにする仕上げる加工が円滑に行える。仕上げ切刃３１で削り取られた被加工物の削り屑は、切削溝２８を通って、あるいは、切削溝２８に沿って形成されている連絡溝２９を通って、上方へ排出される。また、仕上げ切刃３１は、孔の内面を滑らかに仕上げられるように、細かい切刃となるように設定されている。
【００６５】
仕上げ切刃３１の上方には、表面切削部３５が設けられている。表面切削部３５は、被加工物の孔の表面側のバリ取り又は面取り加工をするために用いられる。表面切削部３５は略円錐台形状に形成されている。表面切削部３５の下方の径は略円筒状の仕上げ切削部３０の径と略同一である。表面切削部３５には、複数の表面切削溝３７が設けられている。各表面切削溝は、切削工具１の回転方向にねじれており、下方において仕上げ切削溝３２に連続しており、切削溝２８として連続して一体に形成されている。表面切削溝３７に対して切削工具１の回転方向側には、表面切削溝３７に沿うように連絡溝２９（図３を参照）が形成さており、切削溝２８及び連絡溝２９は、切削工具１の回転方向にねじれるように形成されている。
【００６６】
表面切削溝３７に対する切削工具１の回転方向と反対側には、表面切削溝３７に沿うように表面用切刃３６が設けられている。表面切削溝３７及び表面用切刃３６は、切削工具１の回転方向にねじれているため、表面用切刃３６で削り取った被加工物の削り屑は、被加工物の表面側、すなわち、上方へ排出されることにより、被加工物の孔の表面側のバリ取り又は面取り加工を円滑に行うことができる。表面用切刃３６で削り取った被加工物の削り屑は、切削溝２８を通って、あるいは、切削溝２８に沿って形成されている連絡溝２９を通って、上方へ排出される。
【００６７】
表面切削部３５を側方から見ると、図１に示されているように略等脚台形となり、この等脚台形の対向する傾斜する辺の一方と、切削工具１の軸心とのなす角θ４は、本実施形態では略４５度であるが、本発明ではこれに限定されず、例えばθ３は３０度〜６０度の間で適宜決定される。
【００６８】
表面切削部３５の上方にはシャンク４０が設けられている。本実施形態では表面切削部３５の上方の径はシャンク４０の径と一致している。ただし、表面切削部３５の上方から、テーパー状に徐々に太くなるようなテーパー部を介して大径のシャンク４０に接続されるような構成としてもよい。
【００６９】
本実施形態では、切削溝２８に沿うように連絡溝２９を形成したものを説明したが、本発明はこれに限定されるものではなく、本発明には連絡溝２９を切削溝２８で兼用したものや、連絡溝２９の全部または一部を省略したものも含まれる。また、本実施形態では、荒引き切削部２５の上方に仕上げ切削部３０を形成した例を説明したが、本発明はこれに限定されるものではなく、本発明は仕上げ切削部３０の上方に荒引き切削部２５を設けたものを含む。
【００７０】
＜加工の手順＞
図５〜図１０を参照して、切削工具１を用いた被加工物に対して孔をあけ、孔を拡大し、孔の表面側及び裏面側のバリ取り又は面取りを行う加工について説明する。
【００７１】
（１）まず被加工物４５に対して孔をあける工程を説明する。図５に示したように、ドリル部１０の先端を被加工物４５の表面４６に当てて、切削工具１を下方へ押し下げていくと、ドリル切刃１１によって、被加工物４５に孔をあけていくことができる。被加工物４５の表面４６から切削工具１をさらに下方へ押し下げていくと、被加工物４５にはドリル部１０の上方の径に応じた径の円筒状の孔があけられていき、その孔の内周には外径部１５の外周が摺接する。図６には、ドリル部１０が被加工物４５を完全に貫通したところを示している。なお、外径部１５が設けられていない場合でも、ドリル部１０のドリル切刃１１によって、ドリル部１０の上方の径に応じた円筒状の孔があけられる。
【００７２】
ドリル溝１２から連続的に設けられた切削溝２８、ドリル連絡溝１３、及び、連絡溝２９が切削工具１の回転方向にねじれて形成されていることにより、被加工物４５を削ったときに発生する削りかすは孔の表面側、すなわち、上方に排出される。このために、ドリル切刃１１により被加工物４５に孔４８をあける加工を円滑に行うことができる。
【００７３】
（２）次に、孔４８を荒引き切削部２５の荒引き切刃２６（図１〜３参照）により拡大していく工程を説明する。図７に示すように、上記（１）であけられた被加工物４５の円筒状の孔４８の内周に沿って平面視で円周を描くように、荒引き切削部２５を被加工物４５の円筒状の孔４８の内周に押し当てていくことにより、孔４８を拡大していく。荒引き切刃２６は荒めに設定されているため、孔を拡大する加工を迅速に行うことができる。
【００７４】
荒引き切削溝２７と連続的に設けられた切削溝２８、及び、連絡溝２９が切削工具１の回転方向にねじれて形成されていることにより、荒引き切刃２６により被加工物４５を削ったときに発生する削り屑は孔の表面側、すなわち、上方に排出される。このために、荒引き切刃２６により被加工物４５の孔４８を拡大する加工を円滑に行うことができる。
【００７５】
（３）次に、拡大した孔４８を仕上げ切削部３０の仕上げ切刃３１（図１〜３参照）により滑らかに仕上げていく工程を説明する。図８に示すように、上記（２）で拡大された被加工物４５の円筒状の孔４８の内周に沿って平面視で円周を描くように、仕上げ切削部３０の仕上げ切刃３１を被加工物４５の円筒状の孔４８の内周に押し当てていくことにより、孔４８の内周を滑らかに仕上げていく。仕上げ切刃３１は、細かい切刃となるように設定されているため、孔の内面を滑らかに仕上げられる。
【００７６】
仕上げ切削溝３２と連続的に設けられた切削溝２８、及び、連絡溝２９が切削工具１の回転方向にねじれて形成されていることにより、仕上げ切刃３１により被加工物４５を削ったときに発生する削り屑は孔の表面側、すなわち、上方に排出される。このために、仕上げ切刃３１により被加工物４５の孔４８の内周面を滑らかに仕上げる加工を円滑に行うことができる。
【００７７】
（４）次に、孔４８の裏面をバリ取り又は面取りする工程を説明する。図９に示すように、上記（３）で内周面が滑らかに加工された円筒状の孔４８の裏面側の内周に沿って平面視で円周を描くように、裏面切削部２０の裏面用切刃２１（図１，３参照）を被加工物４５の円筒状の孔４８の裏面側の内周側かつ下方から押し当てることにより、孔４８の裏面側の内周のバリ取り又は面取り加工をすることができる。裏面切削部２０の傾斜角度θ３は適切に、例えば４５度に設定されており、また、裏面用切刃２１はバリ取り又は面取りに適した細かさに設定されているため、孔の裏面側のバリ取り又は面取りを適切に行うことができる。
【００７８】
裏面切削部２０には、切削工具１の回転方向と反対の方向にねじれた裏面切削溝２２が形成されているため、裏面用切刃２１により被加工物４５を削ったときに発生する削り屑は孔の裏面側、すなわち、下方に排出される。このために、裏面用切刃２１により被加工物４５の裏面４７側のバリ取り又は面取り加工を円滑に行うことができる。
【００７９】
（５）次に、孔４８の表面４６をバリ取り又は面取りする工程を説明する。図１０に示すように、上記（３）で内周面が滑らかに加工された円筒状の孔４８の表面側の内周に沿って平面視で円周を描くように、表面切削部３５の表面用切刃３６（図１〜３参照）を被加工物４５の円筒状の孔４８の表面側の内周側かつ上方から押し当てることにより、孔４８の表面側の内周のバリ取り又は面取り加工をすることができる。表面切削部３５の傾斜角度θ４は適切に、例えば４５度に設定されており、また、表面用切刃３６はバリ取り又は面取りに適した細かさに設定されているため、孔の表面側のバリ取り又は面取りを適切に行うことができる。
【００８０】
表面切削部３５には、切削工具１の回転方向にねじれた表面切削溝３７が切削溝２８と連続して形成されており、また、連絡溝２９も切削工具１の回転方向にねじれて設けられているため、表面用切刃３６により被加工物４５を削ったときに発生する削り屑は孔の表面側、すなわち、上方に排出される。このために、表面用切刃３６により被加工物４５の表面４６側のバリ取り又は面取り加工を円滑に行うことができる。
【００８１】
本実施形態では、上記（４）の孔４８の裏面をバリ取り又は面取りする工程の次に、上記（５）の孔４８の表面４６をバリ取り又は面取りする工程を行う例を説明したが、本発明ではこれに限定されず、上記（５）の工程の次に上記（４）の工程を行うようにしてもよい。
【００８２】
［第２実施形態］
本発明の第２実施形態に係る切削工具１による加工の手順について、図１１及び図１２を参照して説明する。なお、図１１は孔拡大加工における荒引き工程と、裏面バリ取り又は面取り加工とを同時に行う場合を示す模式図である。図１〜図１０に共通する構成については同一の符号を用い、その説明は省略する。
【００８３】
第２実施形態に係る加工の手順では、上記（２）の孔４８を荒引き切刃２６により拡大していく工程、及び、上記（４）の孔４８の裏面をバリ取り又は面取りする工程を同時に行う点で第１実施形態に係る加工の手順と異なる。
【００８４】
図１１に示すように、上記（２）の孔４８を荒引き切刃２６により拡大していく工程において、被加工物４５の円筒状の孔４８の内周に沿って平面視で円周を描くように、荒引き切削部２５を被加工物４５の円筒状の孔４８の内周に押し当てるのと同時に、被加工物４５の孔４８の裏面４７側に裏面切削部２０の裏面用切刃２１（図１，３参照）が当たる位置に切削工具１を配置させることにより、上記（２）の孔４８を荒引き切刃２６により拡大していく工程、及び、上記（４）の孔４８の裏面をバリ取り又は面取りする工程を同時に行うことができる。
【００８５】
荒引き切削溝２７と連続的に設けられた切削溝２８、及び、連絡溝２９が切削工具１の回転方向にねじれて形成されていることにより、荒引き切刃２６により被加工物４５を削ったときに発生する削り屑は孔の表面側、すなわち、上方に排出される。一方、裏面切削部２０には、切削工具１の回転方向と反対の方向にねじれた裏面切削溝２２が形成されているため、裏面用切刃２１により被加工物４５を削ったときに発生する削り屑は孔の裏面側、すなわち、下方に排出される。これにより、上記（２）の孔４８を荒引き切刃２６により拡大していく工程、及び、上記（４）の孔４８の裏面をバリ取り又は面取りする工程を同時に行う場合にも、両方の加工を円滑に行うことができる。
【００８６】
第２実施形態においては、上記（２）の孔４８を荒引き切刃２６により拡大していく工程、及び、上記（４）の孔４８の裏面をバリ取り又は面取りする工程を同時に行った後に、拡大した孔４８を仕上げ切刃３１により滑らかに仕上げることになるが、孔４８を仕上げ切刃３１により滑らかに仕上げる工程においてバリが発生した場合には、再度、孔４８の裏面側に裏面用切刃２１を当てることによりバリ取り又は面取り加工を行うことができる。なお、仕上げ切削部３０の上方に荒引き切削部２５が設けられている場合には、拡大した孔４８を仕上げ切刃３１により滑らかに仕上げていく工程、及び、孔４８の裏面をバリ取り又は面取りする工程とを同時に行うことができる。
【００８７】
［第３実施形態］
本発明の第３実施形態に係る切削工具１による加工の手順について、図１２を参照して説明する。なお、図１２は、孔拡大加工における仕上げ工程と、表面バリ取り又は面取り加工とを同時に行う場合を示す模式図である。図１〜図１１に共通する構成については同一の符号を用い、その説明は省略する。
【００８８】
第３実施形態に係る加工の手順では、上記（３）の拡大した孔４８を仕上げ切削部３０の仕上げ切刃３１（図１〜３）により滑らかに仕上げていく工程、及び、上記（５）の孔４８の表面４６をバリ取り又は面取りする工程を同時に行う点で、第１実施形態に係る加工の手順と異なる。
【００８９】
図１２に示すように、上記（３）の拡大した孔４８を仕上げ切刃３１により滑らかに仕上げていく工程において、被加工物４５の円筒状の孔４８の内周に沿って平面視で円周を描くように、仕上げ切刃３１を被加工物４５の円筒状の孔４８の内周に押し当てるのと同時に、被加工物４５の孔４８の表面４６側に表面切削部３５の表面用切刃３６（図１〜３参照）が当たる位置に切削工具１を配置させることにより、上記（３）の拡大した孔４８を仕上げ切刃３１により滑らかに仕上げていく工程、及び、上記（５）の孔４８の表面４６をバリ取り又は面取りする工程を同時に行うことができる。
【００９０】
仕上げ切削溝３２及び表面切削溝３７と連続的に設けられた切削溝２８、及び、連絡溝２９が切削工具１の回転方向にねじれて形成されていることにより、仕上げ切刃３１により被加工物４５を削ったときに発生する削り屑、及び、表面用切刃３６により被加工物４５を削った時に発生する削り屑は、孔４８の表面側、すなわち、上方に排出される。これにより、上記（３）の拡大した孔４８を仕上げ切刃３１により滑らかに仕上げていく工程、及び、上記（５）の孔４８の表面４６をバリ取り又は面取りする工程を同時に行う場合にも、両方の加工を円滑に行うことができる。
【００９１】
仕上げ切削部３０の上方に荒引き切削部２５が設けられている場合には、孔４８を荒引き切刃２６により拡大していく工程、及び、孔４８の表面をバリ取り又は面取りする工程を同時に行うことができる。この場合、孔４８を荒引き切刃２６により拡大していく工程、及び、孔４８の表面をバリ取り又は面取りする工程を同時に行った後に、拡大した孔４８を仕上げ切刃３１により滑らかに仕上げることになるが、孔４８を仕上げ切刃３１により滑らかに仕上げる工程においてバリが発生した場合には、再度、孔４８の表面側に表面用切刃３６を当てることによりバリ取り又は面取り加工を行うことができる。
【００９２】
［第４実施形態］
本発明の第４実施形態に係る切削工具１Ａによる加工の手順について、図１３を参照して説明する。なお、図１３は、孔拡大加工と、裏面バリ取り又は面取り加工と、表面バリ取り又は面取り加工とを同時に行う場合を示す模式図である。図１〜図１２に共通する構成については同一の符号を用い、その説明は省略する。
【００９３】
第４実施形態に係る加工の手順では、孔５８を拡大していく工程と、裏面バリ取り又は面取り加工と、表面バリ取り又は面取り加工とを同時に行う場合を点で、第１実施形態に係る加工の手順と異なる。第４実施形態では、荒引き切削部２５と仕上げ切削部３０との区別はなく、図示しない孔拡大切刃が形成されている孔拡大切削部５０が設けられている。
【００９４】
孔拡大切削部５０の長さ寸法（切削工具１の軸心方向の長さ寸法）は、被加工物５５の厚みと略一致するように設定されている。このため、孔拡大切削部５０を被加工物に５５の孔５８の内周面に当てると、同時に、被加工物５５の孔の裏面５７側には裏面切削部２０の裏面用切刃２１（図１，３参照）が当たると共に、被加工物５５の孔の表面５６側には表面切削部３５の表面用切刃３６（図１〜３参照）が当たることになる。したがって、第４実施形態では、孔拡大切削部５０による孔５８の拡大と、裏面用切刃２１による孔５８の裏面５７側のバリ取り又は面取りと、表面用切刃３６による孔５８の表面５６側のバリ取り又は面取りとを同時に行うことができる。孔拡大切削部５０には、図示されない孔拡大切削溝及び孔拡大切刃が設けられている。孔拡大切削溝はドリル溝及び表面切削溝３７と連続的に一体に設けられており、切削工具１Ａの回転方向にねじれている。
【００９５】
孔拡大切削部５０の長さ寸法は、被加工物５５の厚みと等しいか、あるいは、被加工物５５の厚みよりも僅かに短い寸法に設定されている。孔拡大切削部５０の長さ寸法が、被加工物５５の厚みと等しい場合には、裏面用切刃２１による孔５８の裏面５７側のバリ取りと、表面用切刃３６による孔５８の表面５６側のバリ取りとを、孔拡大切削部５０による孔５８の拡大と、同時に行うことができる。孔拡大切削部５０の長さ寸法が、被加工物５５の厚みよりも僅かに短い寸法に設定されている場合には、被加工物５５の厚みよりも僅かに短い寸法に対応した分の面取り、すなわち、裏面用切刃２１による孔５８の裏面５７側の面取りと、表面用切刃３６による孔５８の表面５６側の面取りとを、孔拡大切削部５０による孔５８の拡大と、同時に行うことができる。
【００９６】
［第５実施形態］
本発明の第５実施形態に係る切削工具１Ｂによる加工の手順について、図１４を参照して説明する。なお、図１４は、ドリル部により表面バリ取り又は面取り加工を行う場合を示す模式図である。図１〜図１３に共通する構成については同一の符号を用い、その説明は省略する。
【００９７】
第５実施形態に係る加工の手順では、ドリル部１０を用いて被加工物４５の孔４８の表面４６側のバリ取り又は面取りを行う点で、第１実施形態に係る加工の手順と異なる。被加工物４５の孔４８の表面４６側のバリ取り又は面取りを行う際には、切削工具１Ｂを回転させた状態で、被加工物の孔４８の上方かつ孔４８の内周面側からドリル部１０のドリル切刃１１を押し当てて、ドリル部１０が孔の内周に沿うように切削工具１Ｂを移動させる。
【００９８】
第５実施形態では、ドリル部１０を用いて被加工物４５の孔４８の表面４６側のバリ取り又は面取りを行うため、ドリル部１０によりドリル機能と、表面バリ取り又は面取り機能とに共用することができ、別途の表面切削部３５を設ける必要がなく、切削工具１の構造を簡略化することができる。また、ドリル溝１２に連続して形成されている切削溝２８、ドリル連絡溝１３及び連絡溝２９は、切削工具１Ｂの回転方向にねじれているため、ドリル部１０のドリル切刃１１によって削られた被加工物４５の削り屑は、被加工物の表面側、すなわち、上方側に排出される。このため、ドリル切刃１１による被加工物４５の表面４６のバリ取り又は面取り加工を円滑に行うことができる。
【符号の説明】
【００９９】
１、１Ａ、１Ｂ…切削工具  １０…ドリル部                １１…ドリル切刃
１２…ドリル溝            １３…ドリル連絡溝            １５…外径部 
１７…外径溝              ２０…裏面切削部              ２１…裏面用切刃
２２…裏面切削溝          ２５…荒引き切削部            ２６…荒引き切刃
２７…荒引き切削溝        ２８…切削溝                  ２９…連絡溝
３０…仕上げ切削部        ３１…仕上げ切刃              ３２…仕上げ切削溝
３５…表面切削部          ３６…表面用切刃              ３７…表面切削溝
４０…シャンク            ４５…被加工物                ４６…表面
４７…裏面                ４８…孔                      ５０…孔拡大切削部  
５５…被加工物            ５６…表面                    ５７…裏面
５８…孔
【図１】
2018199179.tif 000003
【図２】
2018199179.tif 000004
【図３】
2018199179.tif 000005
【図４】
2018199179.tif 000006
【図５】
2018199179.tif 000007
【図６】
2018199179.tif 000008
【図７】
2018199179.tif 000009
【図８】
2018199179.tif 000010
【図９】
2018199179.tif 000011
【図１０】
2018199179.tif 000012
【図１１】
2018199179.tif 000013
【図１２】
2018199179.tif 000014
【図１３】
2018199179.tif 000015
【図１４】
2018199179.tif 000016